(57)【特許請求の範囲】
【請求項１】
上面が作業面である天板と、
前記天板の下方に位置するキャビネットと、
前記天板に設けられたシンク及び加熱調理器と、を備え、
前記キャビネットは、
その前面の上部に位置し、左右方向を長手方向とする直線状のライン部と、
前記前面の前記ライン部の下方に位置する幕板と、
前記ライン部の一部を構成するコンセント装置とを含み、
前記コンセント装置は、
前面に開口が設けられたケースと、
前記ケース内に設けられたプラグ受けと、
前記開口を開閉する蓋とを有し、
前記蓋は、前記ライン部の長手方向に沿ってスライド自在に設けられ、
前記ケースは、前記天板の前端部の下方に突出する前垂れの下面から離れて位置するように、前記ライン部の上下幅内に収まっていることを特徴とする調理台。
【請求項２】
前記コンセント装置は、
前記天板の前端よりも後方に位置することを特徴とする請求項１に記載の調理台。
【発明の詳細な説明】
【技術分野】
【０００１】
本発明は、調理台に関し、詳しくは、天板の下方のキャビネットの前面部にコンセント装置を備える調理台に関する。
【背景技術】
【０００２】
特許文献１には、天板の下方の前面部にコンセント装置を備えた調理台が記載されている。
【０００３】
この特許文献１に記載の調理台では、コンセント装置は、通電接続部（つまりプラグ受け）への水の付着を防止するために、プラグ受けが蓋で覆われている。蓋は、上端部を軸として、下端部が前方へ移動するように、回動自在に設けられている。
【先行技術文献】
【特許文献】
【０００４】
【特許文献１】特開２０１４−２３５９８３号公報
【発明の概要】
【発明が解決しようとする課題】
【０００５】
特許文献１に記載の調理台は、コンセント装置へのプラグ接続の際に、例えば、一方の手で蓋を持ち上げながら、他方の手でプラグ受けにプラグを差し込まなければならず、片手での操作が難しかった。
【０００６】
また、特許文献１に記載の調理台は、開いた状態の蓋が前方に大きく突出するため、見た目の統一感が低かった。
【０００７】
そこで、本発明は、コンセント装置の操作がしやすく、かつ見た目の統一感が高い調理台を提案することを課題とする。
【課題を解決するための手段】
【０００８】
上記課題を解決するための本発明の調理台は、上面が作業面である天板と、前記天板の下方に位置するキャビネットと、前記天板に設けられたシンク及び加熱調理器と、を備え、前記キャビネットは、その前面の上部に位置し、左右方向を長手方向とする直線状のライン部と、前記前面の前記ライン部の下方に位置する幕板と、前記ライン部の一部を構成するコンセント装置とを含み、前記コンセント装置は、前面に開口が設けられたケースと、前記ケース内に設けられたプラグ受けと、前記開口を開閉する蓋とを有し、前記蓋は、前記ライン部の長手方向に沿ってスライド自在に設けられ、前記ケースは、前記天板の前端部の下方に突出する前垂れの下面から離れて位置するように、前記ライン部の上下幅内に収まっていることを特徴とする。
【発明の効果】
【０００９】
本発明の調理台では、蓋を左右方向にスライド自在に設けたことで、スライド移動させた先（開口を開く位置）に蓋を留めることができ、蓋から手を離してプラグ受けへのプラグの着脱を行うことができる。これにより、本発明の調理台では、蓋の開閉と、プラグ受けへのプラグの着脱とをそれぞれ片手で行うことができて、コンセント装置の操作がしやすい。
【００１０】
また、本発明の調理台では、コンセント装置が直線状のライン部の一部を構成し、コンセント装置の蓋が、ライン部の長手方向に沿ってスライド自在であるため、蓋は、スライド移動の前と後で前後方向の位置が変わらず、また、正面視にてライン部内に収まる。これにより、本発明の調理台は、見た目の統一感の高いものとなっている。
【図面の簡単な説明】
【００１１】
【図１】本発明の第一実施形態の調理台を示す斜視図である。
【図２】同上の調理台のコンセント装置を示す斜視図であり、図２Ａは蓋が閉じた状態であり、図２Ｂは蓋が開いた状態である。
【図３】図１のａ―ａ線における断面図である。
【図４】同上のコンセント装置を示す図であり、図４Ａは正面図であり、図４Ｂは平面図であり、図４Ｃは背面図であり、図４Ｄは側面図であり、図４Ｅは図４Ａのｂ−ｂ線における断面図である。
【図５】同上の調理台を示す正面図である。
【図６】本発明の第二実施形態の調理台を示す斜視図である。
【図７】同上の調理台のコンセント装置を示す斜視図であり、図７Ａは蓋が閉じた状態であり、図７Ｂは蓋が開いた状態である。
【図８】同上のコンセント装置を示す図であり、図８Ａは正面図であり、図８Ｂは平面図であり、図８Ｃは背面図であり、図８Ｄは側面図であり、図８Ｅは図８Ａのｃ−ｃ線における断面図である。
【図９】同上の調理台を示す正面図である。
【発明を実施するための形態】
【００１２】
以下、本発明の一実施形態について添付図面に基いて説明する。
【００１３】
図１乃至図５に示す本発明の第一実施形態の調理台１００は、キッチンに設置されるものである。調理台１００は、上面が水回りの作業面である天板１と、天板１の下方に位置するキャビネット２とを備える。以下では、平面視において、調理台１００に対して使用者が位置する側を前方とし、その反対側を後方とし、この前後方向に対して直交する方向を左右方向として、各構成について説明する。各図において、矢印Ｘ１で示す方向が前方であり、矢印Ｙ１で示す方向が右方向であり、矢印Ｚ１で示す方向が上方である。
【００１４】
天板１は、略矩形板状であり、例えば、人造大理石で形成される。天板１は、左右方向を長手方向とし、前後方向を短手方向とし、上下方向を厚み方向とする板体である。天板１には、シンク１０と加熱調理器１１とが設けられている。シンク１０は、例えば、金属製である。加熱調理器１１は、例えば、ビルトイン型の電磁調理器やガス調理器である。シンク１０と加熱調理器１１は、それぞれの下部が、天板１よりも下方に突出しており、この突出した下部がキャビネット２内の上部領域に収納されている。シンク１０と加熱調理器１１とは、左右方向に間隔をおいて位置する。天板１の上面のうち、シンク１０と加熱調理器１１との間のスペースが、調理用スペースとなっている。
【００１５】
天板１は、前端部に下方に突出した前垂れ１２（図１及び図３参照）を有し、後端部に上方に突出したバックガード１３を有する。前垂れ１２とバックガード１３はそれぞれ、天板１に左右方向に亘って設けられている。前垂れ１２とバックガード１３はそれぞれ、左右方向を長手方向とし、上下方向を短手方向とし、前後方向を厚み方向とする板体である。前垂れ１２とバックガード１３はそれぞれ、例えば、天板１と同じ材質であり、天板１と一体に成形される。なお、前垂れ１２とバックガード１３はそれぞれ、天板１とは別部材であり、天板１に接着や溶着等により固定したものであってもよい。
【００１６】
キャビネット２は、内部に収納空間を有し、この収納空間には、調理器具や食器や調味料等が収納される。キャビネット２は、左右の端面を構成する左右一対の側板２０と、後面を構成する後板２１とを有する。キャビネット２の内部の収納空間は、左右一対の側板２０と後板２１と天板１によって囲まれる領域であり、前方に向けて開口している。
【００１７】
キャビネット２は、その前面の上部（本実施形態で上端部）に位置し、左右方向を長手方向とする直線状のライン部３と、前面のライン部３の下方に位置する前板４と、ライン部３の一部を構成するコンセント装置５とを含む。
【００１８】
本実施形態では、キャビネット２には、食器洗浄機６が収納されている。食器洗浄機６は、左右方向において、キャビネット２内に突出したシンク１０と加熱調理器１１の間に位置する。
【００１９】
食器洗浄機６は、その前面に、上部（本実施形態で上端部）に位置し、左右方向を長手方向とする直線状の取っ手部３０と、取っ手部３０の下方に位置する前面板部４０とを有する。取っ手部３０は、手の指を引っ掛け可能に設けられている。取っ手部３０は、従来周知の形状が適宜選択可能であるが、例えば、下部に、手の指を挿入するための凹部が形成され、上部に、凹部に挿入した指を引っ掛けることができるように構成した引っ掛け部が形成される。
【００２０】
食器洗浄機６は、取っ手部３０を前方に引くことで、取っ手部３０と前面板部４０とが前方または前下方に引き出されて、内部の食器洗浄空間が外部に対して露出する。食器洗浄機６は、例えば、上方に開口した容器状であり、前後方向にスライド自在である。なお、食器洗浄機６は、前方に開口した容器状であり、取っ手部３０と前面板部４０とが、前面板部４０の下端部を中心として、取っ手部３０が前方に移動するように回動する扉状のものであってもよい。
【００２１】
キャビネット２は、キャビネット２内に突出したシンク１０の下部の前方に、上部（本実施形態で上端部）に位置し、左右方向を長手方向とする直線状の飾り部３１と、飾り部３１の下方に位置する幕板４１とを有する。
【００２２】
また、キャビネット２は、キャビネット２内に突出した加熱調理器１１の前方に、上部（本実施形態で上端部）に位置し、左右方向を長手方向とする直線状の飾り部３２と、飾り部３２の下方に位置する幕板４２とを有する。
【００２３】
飾り部３１，３２は、取っ手部３０の左右に隣接して位置する。飾り部３１，３２と、取っ手部３０とは、上下長さが略同じである。詳しくは、正面視における飾り部３１，３２の露出する部分、つまり、飾り部３１，３２のうち、天板１と幕板４１，４２の間に位置する部分の上下長さと、取っ手部３０の上下長さとが略同じである。
【００２４】
飾り部３１，３２は、取っ手部３０に類似した外観を有する。飾り部３１，３２は、例えば、取っ手部３０と同じ色に着色されたものや、取っ手部３０と同じまたは類似した形状のものや、これらの組み合せである。
【００２５】
飾り部３１，３２は、その上部が、天板１の下面に、ねじ等の固定具や接着や溶着により固定されている。幕板４１，４２は、飾り部３１，３２の下部に、ねじ等の固定具や接着や溶着により固定されている。
【００２６】
キャビネット２は、シンク１０の下方の収納空間の前方を覆う前面板部４３，４４と、加熱調理器１１の下方の収納空間の前方を覆う前面板部４５，４６と、食器洗浄機６の下方の収納空間の前方を覆う前面板部４７をさらに有する。
【００２７】
キャビネット２内の収納空間には、例えば、上方に開口した箱状のストッカーが複数、前後方向にスライド自在に収納される。複数のストッカーは、本実施形態では、食器洗浄機６の左右に位置する上段側の２つのストッカーと、食器洗浄機６よりも下方に位置する下段側の３つのストッカーで構成される計５つのストッカーである。前面板部４３〜４７はそれぞれ、各ストッカーの前面板を構成する。
【００２８】
前面板部４３は、シンク１０の下方の収納空間の上部領域に収納されるストッカーの前面板であり、前面板部４４は、シンク１０の下方の収納空間の下部領域に収納されるストッカーの前面板である。前面板部４５は、加熱調理器１１の下方の収納空間の上部領域に収納されるストッカーの前面板であり、前面板部４６は、加熱調理器１１の下方の収納空間の下部領域に収納されるストッカーの前面板である。前面板部４７は、食器洗浄機６の下方の収納空間に収納されるストッカーの前面板である。
【００２９】
本実施形態では、幕板４１，４２の下方に位置する前面板部４３，４５の上部には、各ストッカーを前後に移動操作するための取っ手４８が設けられている。各取っ手４８は、従来周知の形状が適宜選択可能であるが、食器洗浄機６の取っ手部３０に類似した外観を有することが好ましい。各取っ手４８は、例えば、下部に、手の指を挿入するための凹部４８０が形成され、上部に、凹部４８０に挿入した指を引っ掛けることができるように構成した引っ掛け部４８１が形成される。各取っ手４８は、それぞれの上方に位置する幕板４１，４２との間に、隙間が形成されないように配される。
【００３０】
食器洗浄機６の前面板部４０には、上下方向の一部に、取っ手４８に類似した外観を有する第二取っ手部４９が設けられている。第二取っ手部４９は、前面板部４３，４５の上部の各取っ手４８に対して左右に並ぶ位置に配されている。なお、第二取っ手部４９は、取っ手としての機能を有さず、取っ手４８と外観が類似するだけのものであってもよい。
【００３１】
下段側の３つのストッカーは、例えば、後方に押圧することで、バネ作用等により自動的に前方に引き出される構造のものであり、本実施形態では、前面板部４４，４６，４７の上部には、取っ手４８が設けられていない。
【００３２】
前方に引き出していない状態の食器洗浄機６の前面板部４０と、前方に引き出していない状態の上段側の２つのストッカーの前面板部４３，４５と、幕板４１，４２は、それぞれの前面が互いに略面一となる。前方に引き出していない状態の下段側の３つのストッカーの前面板部４４，４６，４７は、それぞれの前面が互いに略面一となる。
【００３３】
前方に引き出していない状態の下段側の３つのストッカーの前面板部４４，４６，４７は、前方に引き出していない状態の上段側の２つのストッカーの前面板部４３，４５よりも後方に位置する。
【００３４】
本実施形態では、上述した取っ手部３０と飾り部３１，３２が、ライン部３を構成し、食器洗浄機６の前面板部４０と幕板４１，４２と各ストッカーの前面板部４３〜４７が、前板４を構成する。
【００３５】
ライン部３の一部を構成するコンセント装置５は、図２Ａ、図２Ｂ及び図４Ａ乃至図４Ｅに示すように、前面に開口７０を有する箱状のケース７と、ケース７内に設けられたプラグ受け８と、プラグ受け８の前方の開口７０を開閉する蓋９とを有する。蓋９は、ライン部３の長手方向に沿ってスライド自在に設けられている。
【００３６】
ケース７は、前半部７１と、この前半部７１よりも正面視における寸法が一回り小さい後半部７２を有する。ケース７は、前半部７１の前端部に開口７０を有し、前半部７１の開口７０よりも後方にプラグ受け８が内蔵されている。
【００３７】
前半部７１は、正面視矩形枠状であり、内周面のうちの上面と下面にそれぞれ、蓋９の左右方向へのスライド移動をガイドするガイド溝７３と、プラグ受け８が設置された取付部材８０を取り付けるための取付溝７４が設けられている。各ガイド溝７３は、前半部７１の前端から若干後方の位置に配されている。各取付溝７４は、各ガイド溝７３よりも後方に配されている。
【００３８】
取付部材８０は、プラグ受け８が設置される底板８１と、底板８１の上端部から後方に延長された上板８２と、底板８１の下端部から後方に延長された下板８３とを有する。底板８１は、左右方向を長手方向とし、上下方向を短手方向とし、前後方向を厚み方向とする板体であり、左右方向の一方の半部（本実施形態では左半部）に、プラグ受け８が設置される設置孔８４を有する。本実施形態では、底板８１は、左右方向に間隔をおいて位置する２つの設置孔８４を有し、各設置孔８４にプラグ受け８が設置されている。
【００３９】
各プラグ受け８は、商用電源等の電源に電気的に接続されたものであり、従来周知の多種多様なものが利用可能である。プラグ受け８には、ハンドミキサーやスムーザー等の各種電気機器が有する電源コードの先端のプラグが接続される。プラグ受け８は、例えば、各種電気機器のプラグの各栓刃が差し込まれる差込孔８５を左右一対に有する。
【００４０】
蓋９は、正面視矩形板状であり、左右方向を長手方向とし、上下方向を短手方向とし、前後方向を厚み方向とする板体である。蓋９は、前半部７１の内周面のうちの左右の面間の距離の略半分の左右長さを有する。蓋９は、その左端が、前半部７１の内周面のうちの左面に当たるように配置することで、底板８１の左半部の前方に位置して、２つのプラグ受け８を覆い隠す。この蓋９の左端が、前半部７１の内周面のうちの左面に当たるときの位置が、２つのプラグ受け８の前方の開口７０を塞ぐ閉位置である。そして、蓋９は、その右端が、前半部７１の内周面のうちの右面に当たるように配置することで、底板８１の右半部の前方に位置して、２つのプラグ受け８を外部に対して露出させる。この蓋９の右端が、前半部７１の内周面のうちの右面に当たるときの位置が、２つのプラグ受け８の前方の開口７０を開く開位置である。
【００４１】
蓋９は、左右の端部に引っ掛け部９０を有する。引っ掛け部９０は、例えば、蓋９の前面のうちの左右の端部をそれぞれ、この左右の端部の間の部分よりも後退させて設けることによって形成される段差で構成される。
【００４２】
本実施形態では、飾り部３１の長手方向の一部（本実施形態では左端部）には、図３に示すように、後方に凹んだ凹部３１０が設けられている。この凹部３１０に、コンセント装置５のケース７の後半部７２を差し込んで嵌め合わせることによって、コンセント装置５は、飾り部３１に取り付けられる。このとき、ケース７の前半部７１の後面７１０を、飾り部３１の凹部３１０の周囲の前面３１１に当てることで、ケース７の前後位置が決まる。この前後位置が定まった状態において、コンセント装置５は、ケース７の前半部７１の前面が、その下方の幕板４１の前面と略面一となる。またこのとき、コンセント装置５は、ケース７の前半部７１の前面が、天板１の前垂れ１２よりも後方に位置する。
【００４３】
また飾り部３１に取り付けた状態で、コンセント装置５は、正面視において、飾り部３１のうち外部に対して露出する部位（つまり飾り部３１のうち天板１の前垂れ１２と幕板４１の間の部位）の上下幅内に収まって位置する。
【００４４】
さらに本実施形態では、飾り部３１に取り付けた状態で、コンセント装置５の上端（つまりケース７の前半部７１の上端面）は、取っ手部３０の上端と略同じ高さとなる。そして、コンセント装置５の下端（つまりケース７の前半部７１の下端面）は、取っ手部３０の下端と略同じ高さとなる。そして、コンセント装置５の左端（つまりケース７の前半部７１の左端面）は、幕板４１の左側面と左右方向の位置が略同じとなる。このように、コンセント装置５は、上端と下端と側端とがそれぞれ隣接する他の構成（取っ手部３０と幕板４１）と揃うことで、見た目の統一感が高くなっている。
【００４５】
なお、飾り部３１は、長手方向の一部に凹部３１０を有していないものであってもよい。この場合、調理台１００は、飾り部３１とは別に、コンセント装置５が取り付けられる凹部を有する左右方向を長手方向とする直線状の設置部材を備える。設置部材は、飾り部３１と同様に、天板１と幕板４１のそれぞれに、ねじ等の固定具や接着や溶着等によって固定される。この設置部材は、飾り部３１の側方（左側）に隣接させて配される。
【００４６】
以上説明した本実施形態の調理台１００では、例えば、以下のようにして、プラグ受け８へのプラグの着脱を行うことができる。
【００４７】
まず、プラグ受け８の前方の閉位置にある蓋９の左側の引っ掛け部９０に片手の指先を引っ掛け、蓋９をガイド溝７３に沿って右方向にスライド移動させ、蓋９を、その右端がケース７の前半部７１の内周面のうちの右面に当たる開位置まで移動させる。蓋９が開位置にあるとき、プラグ受け８は外部に対して露出する。
【００４８】
次いで、蓋９の引っ掛け部９０から指先を離し、この手で各種電気機器のプラグを持って、プラグの各栓刃を、プラグ受け８の各差込孔８５へと差し込む。なお、蓋９の移動と、プラグ受け８へのプラグの差し込みは、左右異なる手で行ってもよい。プラグの各栓刃をプラグ受け８の各差込孔８５に差し込むことで、各種電気機器は、電力が供給されて使用可能となる。
【００４９】
各種電気機器の使用が終わったら、プラグを片手で持ち、プラグの各栓刃をプラグ受け８の各差込孔８５から引き抜く。
【００５０】
次いで、開位置にある蓋９の右側の引っ掛け部９０に片手の指先を引っ掛け、蓋９をガイド溝７３に沿って左方向にスライド移動させ、蓋９を、その左端がケース７の前半部７１の内周面のうちの左面に当たる閉位置まで移動させる。蓋９が閉位置にあるとき、プラグ受け８は蓋９によって覆い隠される。これにより、飛散してきた水が、プラグ受け８に付着して短絡等が生じることを抑制することができる。
【００５１】
以上説明したように、本実施形態の調理台１００では、片手で蓋９を開いた後、蓋９から手を離した状態で、プラグ受け８へのプラグの脱着を行うことができる。したがって、本実施形態の調理台１００では、蓋９の開閉と、プラグ受け８へのプラグの着脱を、片手で行うことができ、コンセント装置５の操作を簡単に行うことができる。
【００５２】
また、本実施形態の調理台１００では、蓋９は、左右方向にスライド移動するため、開位置と閉位置において、前後方向の位置が略変わらず、蓋９が開位置にあるときに、前方に大きく突出しない。また、本実施形態の調理台１００では、蓋９は、ライン部３に沿ってスライド移動するため、開位置においても閉位置においても、正面視にてライン部３の上下幅内に収まる。したがって、本実施形態のコンセント装置５付きの調理台１００は、見た目の統一感が高いものとなっている。
【００５３】
また、本実施形態の調理台１００では、蓋９は開位置においても閉位置においてもケース７内に位置するため、プラグをプラグ受け８に接続して天板１上の作業スペースで各種電気機器を扱う際に、蓋９が邪魔にならない。
【００５４】
また、本実施形態の調理台１００では、プラグをプラグ受け８に接続しない未使用時には、プラグ受け８の前方の開口７０を蓋９で塞ぐことができ、ケース７内のプラグ受け８に、飛散してきた水が付着することを抑制でき、短絡等の発生を防止することができる。
【００５５】
また、本実施形態の調理台１００は、コンセント装置５が飾り部３１内に収まる仕様となっているため、周囲の構造（幕板４１や天板１）を、コンセント装置５を設置するための専用の仕様とする必要がなく、汎用性の高いものとなっている。
【００５６】
なお、上述した本実施形態の調理台１００では、前面板部４３〜４７は前後方向にスライド移動自在に設けたものであったが、前面板部４３〜４７は左右の端部の一方を中心として、他方が前後方向に移動するように回動する扉状に設けたものであってもよい。
【００５７】
続いて、図６〜図９に示す本発明の第二実施形態の調理台１００について説明する。以下では、第一実施形態の調理台１００と同様の構成については図中に同じ符号を付して詳しい説明を省略し、第一実施形態の調理台１００と異なる構成については詳しく説明する。なお、各図において、矢印Ｘ１で示す方向が前方であり、矢印Ｙ１で示す方向が右方向であり、矢印Ｚ１で示す方向が上方である。
【００５８】
本実施形態の調理台１００では、図７Ａ及び図７Ｂに示すように、コンセント装置５は、２つのプラグ受け８が、取付部材８０の底板８１の左右方向の中央部に設けられた２つの設置孔８４に１つずつ取り付けられている。以下、２つのプラグ受け８のうち左側に位置するプラグ受け８を「左プラグ受け８」と記載し、右側に位置するプラグ受け８を「右プラグ受け８」と記載する。
【００５９】
本実施形態の調理台１００では、蓋９は、左右に並ぶ２つの蓋パーツ９１，９２で構成される。蓋パーツ９１，９２はそれぞれ、１つのプラグ受け８を覆うことができるような左右長さを有する。蓋パーツ９１，９２は、それぞれ左右方向の端部に引っ掛け部９０を有する。
【００６０】
左側に位置する蓋パーツ９１は、左プラグ受け８の前方に位置して左プラグ受け８を覆う閉位置と、左プラグ受け８よりも左側に位置して、左プラグ受け８を外部に対して露出させる開位置との間で移動自在である。蓋パーツ９１は、その左端が前半部７１の内周面のうちの左面に当たるように配置することで、開位置に配置させることが可能である。
【００６１】
また、右側に位置する蓋パーツ９２は、右プラグ受け８の前方に位置して右プラグ受け８を覆う閉位置と、右プラグ受け８よりも右側に位置して、右プラグ受け８を外部に対して露出させる開位置との間で移動自在である。蓋パーツ９２は、その右端が前半部７１の内周面のうちの右面に当たるように配置することで、開位置に配置させることが可能である。
【００６２】
なお、本実施形態の調理台１００では、上下一対のガイド溝７３の少なくとも一方には、左右方向の中央部にリブ状のストッパーを設けることが好ましい。このようにストッパーを設けることで、スライド移動の際に蓋パーツ９１，９２を閉位置で簡単に止めることができる。
【００６３】
以上説明した本実施形態の調理台１００においても、蓋９（蓋パーツ９１，９２）の開閉と、プラグ受け８へのプラグの着脱を、片手で行うことができ、コンセント装置５の操作を簡単に行うことができる。
【００６４】
また、本実施形態の調理台１００においても、蓋９（蓋パーツ９１，９２）が開位置にあるときに、前方に大きく突出せず、また、蓋９（蓋パーツ９１，９２）が、開位置にあるときでも閉位置にあるときでも、正面視にてライン部３の上下幅内に収まる。したがって、本実施形態のコンセント装置５付きの調理台１００は、見た目の統一感が高いものとなっている。
【００６５】
また、本実施形態の調理台１００では、蓋９を、２つのプラグ受け８をそれぞれ覆う２つの蓋パーツ９１，９２で構成し、各蓋パーツ９１，９２を左右方向の端まで移動させることで、２つのプラグ受け８を外部に対して露出させることができるようにしている。そのため、本実施形態の調理台１００では、２つのプラグ受け８のうち一方だけを使用する場合に、簡単な操作で、一方のプラグ受け８だけを外部に対して露出させることができる。
【００６６】
以上まとめると、本発明の第一及び第二実施形態の調理台１００は、下記の構成を備えることを特徴とする。
【００６７】
すなわち、第一及び第二実施形態の調理台１００は、上面が作業面である天板１と、天板１の下方に位置するキャビネット２とを備える。キャビネット２は、その前面の上部に位置し、左右方向を長手方向とする直線状のライン部３と、前記前面のライン部３の下方に位置する前板４と、ライン部３の一部を構成するコンセント装置５とを含む。コンセント装置５は、前面に開口７０が設けられたケース７と、ケース７内に設けられたプラグ受け８と、開口７０を開閉する蓋９とを有する。蓋９は、ライン部３の長手方向に沿ってスライド自在に設けられている。
【００６８】
上記の構成のように、第一及び第二実施形態の調理台１００は、コンセント装置５のケース７の開口７０を開閉する蓋９を、ライン部３の長手方向、つまり左右方向に沿ってスライド自在に設けている。そのため、第一及び第二実施形態の調理台１００では、蓋９を、プラグ受け８の前方に位置する閉位置からプラグ受け８の側方に位置する開位置へと移動させたときに、蓋９から手を離しても、蓋９を開位置に保持することができる。したがって、第一及び第二実施形態の調理台１００では、蓋９の開閉と、プラグ受け８へのプラグの着脱を片手で行うことができて、コンセント装置５の操作を簡単に行うことができる。
【００６９】
また、第一及び第二実施形態の調理台１００では、コンセント装置５を、左右方向を長手方向とする直線状のライン部３の一部を構成するように設け、このコンセント装置５の蓋９を、ライン部３の長手方向に沿ってスライド自在に設けている。そのため、第一及び第二実施形態の調理台１００では、蓋９は、開いた状態と閉じた状態とで前後の位置が変わらず、また、蓋９は、開いた状態でも閉じた状態でも、正面視にてライン部３内に収まる。これにより、第一及び第二実施形態のコンセント装置５付きの調理台１００は、見た目の統一感の高いものとなっている。
【００７０】
さらに、本発明の第一及び第二実施形態の調理台１００は、上記の構成に加えて、下記の付加的な構成を備える。
【００７１】
すなわち、本発明の第一及び第二実施形態の調理台１００では、コンセント装置５は、天板１の前端よりも後方に位置する。
【００７２】
上記の付加的な構成を備えることで、本発明の第一及び第二実施形態の調理台１００では、コンセント装置５が天板１よりも前方に大きく突出して浮き上がったような外観とならず、見た目の統一感の高いものとなっている。
【００７３】
また、本発明の第一及び第二実施形態の調理台１００では、コンセント装置５は、上端と下端の高さが、左右方向に隣接する取っ手部３０の上端と下端の高さに揃い、左端の左右位置が、下方に隣接する幕板４１の左端面の左右位置に揃う。これにより、第一及び第二実施形態のコンセント装置５付きの調理台１００は、見た目の統一感がさらに高いものとなっている。
【００７４】
また、本発明の第一及び第二実施形態の調理台１００では、コンセント装置５を飾り部３１の上下幅内に収まるように設けたことで、飾り部３１の周囲の構成（幕板４１）を、コンセント装置５を設置するための専用の構造とする必要がない。そのため、本発明の第一及び第二実施形態の調理台１００は、汎用性の高いものとなっている。
【００７５】
以上、本発明を添付図面に示す実施形態に基づいて説明したが、本発明は上記の実施形態に限定されるものではなく、本発明の意図する範囲内であれば、適宜の設計変更が可能である。
【符号の説明】
【００７６】
１      天板
２      キャビネット
３      ライン部
４      前板
５      コンセント装置
７      ケース
８      プラグ受け
９      蓋
７０    開口
１００  調理台
【図１】
0006621007.tif 000002
【図２】
0006621007.tif 000003
【図３】
0006621007.tif 000004
【図４】
0006621007.tif 000005
【図５】
0006621007.tif 000006
【図６】
0006621007.tif 000007
【図７】
0006621007.tif 000008
【図８】
0006621007.tif 000009
【図９】
0006621007.tif 000010